(57)【特許請求の範囲】
【請求項１】
ロール状に巻回された台紙なしラベルをロール状態から繰出状態に剥離する台紙なしラベルの繰出装置において、
前記台紙なしラベルの繰出装置の供給繰出口の近傍に、モータに伝達されて強制回転する駆動ローラおよび該駆動ローラに圧接状態に構成された転向部材を備えたロールほぐし手段と、
前記ロールほぐし手段の前記駆動ローラおよび前記転向部材に連結された可動杆に備えた第一の弾性保持手段と、
から成る補助剥離機構を設け、
前記補助剥離機構の前記第一の弾性保持手段によって、前記ロールほぐし手段の前記転向部材を、常時、ロール状となした前記台紙なしラベルの外周面に弾性付勢状態とし、
前記台紙なしラベルをロール状態から繰出状態に剥離することを特徴とする補助剥離機構付の台紙なしラベルの繰出装置。
【請求項２】
前記補助剥離機構の前記ロールほぐし手段にて繰出される前記台紙なしラベルを誘導する可動案内ローラに、第二の弾性保持手段を備えるとともに、
前記第二の弾性保持手段を設けた前記可動案内ローラをモータ停止位置からモータ駆動位置に変位し、その復帰には引張スプリングを用いる請求項１記載の補助剥離機構付の台紙なしラベルの繰出装置。
【請求項３】
前記補助剥離機構の前記ロールほぐし手段に備えた転向部材は、転向ローラまたは転向板である請求項１記載の補助剥離機構付の台紙なしラベルの繰出装置。
【発明の詳細な説明】
【０００１】
【発明の属する技術分野】
本発明は、特にラベルの自動貼付機に好適なロール状に巻回された台紙（剥離シート）なしラベルをロール状態から剥離し易いように、補助剥離機構を備えた台紙なしラベルの繰出装置に関する。
【０００２】
【従来の技術】
台紙なしラベルにおいては、ラベルの裏面に感圧性粘着剤が施されている関係上、これをロール状に巻回すると、その粘着面がラベルの表面に接する。一般にラベルの表面には非粘着処理が施されているが、ロール状に巻回される為、その接着作用により、スムーズな繰出ができない欠陥を有する。
【０００３】
【発明が解決しようとする課題】
本発明は前記従来の欠陥に鑑み、ロール状に巻回された台紙なしラベルのスムーズな剥離作用が必要で、この為に補助剥離機構を備え、ラベルの繰出作用を良好として、印字精度の良質なラベル自動貼付機を提供することを目的とする。
【０００４】
【課題を解決するための手段】
本発明においては、
ロール状に巻回された台紙なしラベルをロール状態から繰出状態に剥離する台紙なしラベルの繰出装置において、
前記台紙なしラベルの繰出装置の供給繰出口の近傍に、モータに伝達されて強制回転する駆動ローラおよび該駆動ローラに圧接状態に構成された転向部材を備えたロールほぐし手段と、
前記ロールほぐし手段の前記駆動ローラおよび前記転向部材に連結された可動杆に備えた第一の弾性保持手段と、
から成る補助剥離機構を設け、
前記補助剥離機構の前記第一の弾性保持手段によって、前記ロールほぐし手段の前記転向部材を、常時、ロール状となした前記台紙なしラベルの外周面に弾性付勢状態とし、
前記台紙なしラベルをロール状態から繰出状態に剥離するように構成したものである。
【０００５】
【発明の実施の形態】
ロール状に巻回される台紙なしラベル２は、図３の断面図に示す如く、ラベル基材２０の裏面側には感圧性粘着剤２１を有し、その表面にはシリコン等の非粘着層２２が施されている。従ってこの台紙なしラベルＬを図１（第一実施例）の装置説明図に示すように、ロール状に巻回されると、ラベル基材２０の表面に、感圧性粘着剤２１が接する為、その繰出（剥離）性が悪い。
【０００６】
全体構成を第一実施例として示した図１を参照として説明する。供給軸１には、台紙なしラベルＬがロール状に巻回されている。
【０００７】
次にこのロール状に巻回された台紙なしラベルＬをスムーズに引き出す為に、ロールほぐし手段６を供給繰出口３部分に配設してある。このロールほぐし手段６とはモータＭに接続され、強制回転する駆動ローラ５と、該ローラ５と同期するように構成された転向ローラ４ａとである。
【０００８】
この転向ローラ４ａと駆動ローラ５とから成るロールほぐし手段６は、前記ロール状に巻回された台紙なしラベル２の外周面を圧接状態とする第一の弾性保持手段１０によって、前記ロール状に巻回された台紙なしラベル２の外周面に弾性圧接している構成である。詳しくは駆動ローラ５と転向ローラ４ａとは一体的に案内板７に取付けられ、該案内板７には案内スリット８が形成されている。この案内スリット８内には、前記両ローラ４ａ，５に連結された可動杆９ａが係合されている。更にこの可動杆９ａは引張スプリング９ｂを装着して、常時、前記転向ローラ４ａをロール状となした台紙なしラベル２の外周面に弾性付勢状態を呈する。
【０００９】
従ってこのロール状の台紙なしラベル２が繰出されて、その直径が縮経となると、これに追従して、図１においては上昇する構成である。
【００１０】
更に第二の弾性保持手段１５が備えられた可動案内ローラ１１を有し、帯状となす台紙なしラベルＬを前記ロールほぐし手段６より、この可動案内ローラ１１に掛け渡される。そしてこの可動案内ローラ１１はモータ停止位置Ａからモータ駆動位置Ｂに変位し、テンションアームの働きをする。詳しくはこの可動性案内ローラ１１の第二の弾性保持手段１５とは、可動案内ローラ１１の軸１２に装着された引張スプリング１４をもって、この可動ローラ１１を常時、前記モータ停止位置Ａ方向に弾性付勢している。すなわちこの可動案内ローラ１１には台紙なしラベルＬが転向される為、このローラ１１は前記モータ駆動位置Ｂ方向に牽引状態を呈し、この軸１２は、案内スリット１３内をＡ点からＢ点、Ｂ点からＡ点に移動自在の構成である。
【００１１】
かくしてＢ点に位置すると、電源がＯＮとなり、前記ロールほぐし手段６のモータＭが駆動して、駆動ローラ５が回転し、Ｂ点より引張スプリング１４の作用でＡ点に戻されると、電源ＯＦＦとなり、モータＭが停止する構成である。
【００１２】
次に案内される帯状の台紙なしラベルＬは、案内ローラ１７を経て、例えばプラテンローラとサーマルヘッドから成る印字手段１８をもって、所望の印字が施される。尚、この印字手段１８は熱転写でもよい。
【００１３】
次に切断手段１９の稼働にて規定の一枚分の長さのラベルＬを得る。この印字手段の先端には、これと直交配置されたコンベア（図示省略）上に、搭載されて移送されてくる物品の表面に、本機に取付けられた貼付ローラ等（図示省略）をもって、ラベル貼着をするものである。
【００１４】
次に図２に示した本発明の第二実施例は、前記図１の第一実施例で説明した構成と、ほぼ同様で、相違している構成はロールほぐし手段６の転向部材を転向板４ｂに変更した例である。尚、第一実施例と同一符号は、同部材を示し、その説明は省略する。更にロール状台紙ラベル２の外周面を圧接状態とする第一の弾性保持手段１０および可動案内ローラ１１の第二の弾性保持手段１５等は、図面においても省略してある。
【００１５】
【発明の効果】
本発明は叙述の如く、ロール状に巻回された台紙なしラベルをロール状態から繰出状態に剥離する台紙なしラベルの繰出装置において、
前記台紙なしラベルの繰出装置の供給繰出口の近傍に、モータに伝達されて強制回転する駆動ローラおよび該駆動ローラに圧接状態に構成された転向部材を備えたロールほぐし手段と、
前記ロールほぐし手段の前記駆動ローラおよび前記転向部材に連結された可動杆に備えた第一の弾性保持手段と、
から成る補助剥離機構を設け、
前記補助剥離機構の前記第一の弾性保持手段によって、前記ロールほぐし手段の前記転向部材を、常時、ロール状となした前記台紙なしラベルの外周面に弾性付勢状態とし、
前記台紙なしラベルをロール状態から繰出状態に剥離するようにしたので、  
ロール状台紙なしラベルをロール状態から繰出状態に、スムーズに繰り出すことができる。従って繰出ラベルに引張作用が働かないので、鮮明な印字が施される。
【図面の簡単な説明】
【図１】本発明の補助剥離機構を備えた台紙なしラベルの繰出装置の第一実施例として示した全体説明図である。
【図２】同上、第二実施例の要部説明図である。
【図３】ロール状に巻回される台紙なしラベルの拡大断面図である。
【符号の説明】
１０  第一の弾性保持手段
１５  第二の弾性保持手段
【図１】
0003660409.tif 000002
【図２】
0003660409.tif 000003
【図３】
0003660409.tif 000004